(57)【要約】      （修正有）【課題】自転車、スケート、キックボードなどを使用する際に用いられる接続回線が断裂しにくいヘルメットを提供する。【解決手段】発泡材からなるライナーと、該ライナーの外側に設けられる帽体を有するヘルメットであって、前記ライナーに夫々電池収容部及びスイッチ収容部が形成され、該ライナーと帽体との間に発光素子が設けられ、該発光素子は、該スイッチ収容部に収容される制御スイッチと、該電池収容部に収容される電池組と、複数のＬＥＤ部材と、該ライナーの表面に貼り合わされる軟性接続回線とを有し、該軟性接続回線は夫々ＬＥＤ部材、制御スイッチ及び電池組と接続され、前記帽体にＬＥＤ部材と対応する光通過部が形成されることを特徴とする。【選択図】図２
0003130495.tif 000002
【実用新案登録請求の範囲】
【請求項１】
発泡材からなるライナーと、該ライナーの外側に設けられる帽体を有するヘルメットであって、
前記ライナーに夫々電池収容部及びスイッチ収容部が形成され、該ライナーと帽体との間に発光素子が設けられ、該発光素子は、該スイッチ収容部に収容される制御スイッチと、該電池収容部に収容される電池組と、複数のＬＥＤ部材と、該ライナーの表面に貼り合わされる軟性接続回線とを有し、該軟性接続回線は夫々ＬＥＤ部材、制御スイッチ及び電池組と接続され、
前記帽体にＬＥＤ部材と対応する光通過部が形成されることを特徴とするヘルメット。
【請求項２】
前記電池収容部は、該ライナーの底部の後部に形成され、前記スイッチ収容部は、該ライナーの外側に形成され、該帽体に制御スイッチと対応するフィルム状の制御ボタンが設けられることを特徴とする請求項１に記載のヘルメット。
【請求項３】
更に、前記ライナーに下カバーが設けられ、該下カバーにライナーの下部後端に被嵌される取付溝が形成され、その底部にライナーの電池収容部と対応する貫通孔が形成される請求項２に記載のヘルメット。
【請求項４】
前記電池組は、中空状を呈すると共に、内部に電池が設けられるケースを有し、該ケースに接続回線と接続するためのコネクタが設けられ、更に、該ケースの外側に複数の係合部が設けられることを特徴とする請求項１乃至３の何れかに記載のヘルメット。
【請求項５】
前記係合部は、コネクタの対向端へ向かって傾斜することを特徴とする請求項４に記載のヘルメット。
【考案の詳細な説明】
【技術分野】
【０００１】
本考案は、特に自転車、スケート、キックボードなどを使用する際に用いられるヘルメットに関するものである。
【背景技術】
【０００２】
一般に、自転車、スケート、キックボードなどを使用する際の安全性を向上するために、使用者は専用のヘルメットを着用する。このようなヘルメットは、発泡材からなる内殻と、該内殻の外側に被嵌される帽体とを備え、又、夜間の使用安全性を向上するため、内殻に光引導部材、ＬＥＤ（発光ダイオード）、電池組及び制御回路が設けられるヘルメットが台湾実用新案公告第５４５１２４号「光引導型ヘルメット」に記載された。
【考案の開示】
【考案が解決しようとする課題】
【０００３】
しかしながら、前記従来のヘルメットの光引導部材は、内殻の表面に完全に貼り付けることは難しいと共に、制御回路と電池組との間に接続される接続回線の位置決めが難しく、更に接続回線が湾曲すると、該接続回線が断裂してしまうという問題があった。
【０００４】
そこで、案出されたのが本考案であって、軟性の接続回線を使用することにより、ヘルメットと確実に貼り合わせることができるので、接続回線が断裂しにくいヘルメットを提供することができる。
【課題を解決するための手段】
【０００５】
本願の請求項１の考案は、発泡材からなるライナーと、該ライナーの外側に設けられる帽体を有するヘルメットであって、
前記ライナーに夫々電池収容部及びスイッチ収容部が形成され、該ライナーと帽体との間に発光素子が設けられ、該発光素子は、該スイッチ収容部に収容される制御スイッチと、該電池収容部に収容される電池組と、複数のＬＥＤ部材と、該ライナーの表面に貼り合わされる軟性接続回線とを有し、該軟性接続回線は夫々ＬＥＤ部材、制御スイッチ及び電池組と接続され、
前記帽体にＬＥＤ部材と対応する光通過部が形成されることを特徴とするヘルメット、を提供する。
【０００６】
本願の請求項２の考案は、前記電池収容部は、該ライナーの底部の後部に形成され、前記スイッチ収容部は、該ライナーの外側に形成され、該帽体に制御スイッチと対応するフィルム状の制御ボタンが設けられることを特徴とする請求項１に記載のヘルメット、を提供する。
【０００７】
本願の請求項３の考案は、更に、前記ライナーに下カバーが設けられ、該下カバーにライナーの下部後端に被嵌される取付溝が形成され、その底部にライナーの電池収容部と対応する貫通孔が形成される請求項２に記載のヘルメット、を提供する。
【０００８】
本願の請求項４の考案は、前記電池組は、中空状を呈すると共に、内部に電池が設けられるケースを有し、該ケースに接続回線と接続するためのコネクタが設けられ、更に、該ケースの外側に複数の係合部が設けられることを特徴とする請求項１乃至３の何れかに記載のヘルメット、を提供する。
【０００９】
本願の請求項５の考案は、前記係合部は、コネクタの対向端へ向かって傾斜することを特徴とする請求項４に記載のヘルメット、を提供する。
【考案の効果】
【００１０】
本考案は上記の課題を解決するものであり、以下に示すような効果を有する。  
本考案に係るヘルメットの発光素子は、軟性の接続回線を用いることから、ライナーの湾曲形状に沿って接続回線を湾曲させることができるので、該接続回線をライナーの表面と確実に貼り合わせることができると共に、それにより接続回線の断裂問題も防止することができる。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１は本考案に係るヘルメットの斜視図であり、図２は本考案に係るヘルメットの分解斜視図であり、図３は本考案に係るヘルメットの分解平面図であり、図４は本考案に係るヘルメットの部分断面図である。
【００１３】
図１乃至図３に示すように、本考案に係るヘルメットは、ライナー（１０）と、発光素子（２０）と、帽体（３０）と、下カバー（４０）とを有し、該ライナー（１０）は、発泡材からなり、その上に複数の通気孔（１１）が形成され、底部の後部と外側に夫々電池収容部（１２）とスイッチ収容部（１３）が形成される。
【００１４】
前記発光素子（２０）は、制御スイッチ（２２）と、四組のＬＥＤ部材（２３）と、電池組（２４）と、該制御スイッチ（２２）をＬＥＤ部材（２３）と電池組（２４）と夫々接続するための軟性の接続回線（２１）とを有し、接続回線（２１）の軟性特性によって該発光素子（２０）をライナー（１０）の表面に接着し合うことにより、二組の発光素子（２３）をライナー（１０）の前部に接着し、他の二組の発光素子（２３）をライナー（１０）の後部に接着する。又、前記電池組（２４）と制御スイッチ（２２）は、夫々電池収容部（１２）とスイッチ収容部（１３）に収容され、又、図２に示すように、接続回線（２１）は、ライナー（１０）の湾曲形状に沿って湾曲することができる（例えば通気孔（１１）の位置を避けて湾曲する）。
【００１５】
前記帽体（３０）は、該ライナー（１０）の外側に取付ける薄い殻状のプラスチック製カバーであり、該帽体（３０）にライナーの通気孔（１１）と対応する中空部（符号なし）が形成され、又、該帽体（３０）にＬＥＤ部材（２３）と対応する光通過部（３１）が形成され、本実施例の光通過部（３１）は、ＬＥＤ部材の光を放射可能の中空部であり、又、帽体（３０）に制御スイッチ（２２）と対応するフィルム状の制御ボタン（３２）が設けられることにより、ＬＥＤ部材の点灯を制御する。
【００１６】
前記下カバー（４０）は、薄い殻状のプラスチック製カバーであり、ライナー（１０）の下部後端に被嵌される取付溝（４１）が形成され、その底部にライナー（１０）の電池収容部（１２）と対応する貫通孔（４２）が形成されることにより、前記電池組（２４）が該貫通孔（４２）を通じて電池収容部（１２）に設置することができる。
【００１７】
又、図１及び図４に示すように、前記電池組（２４）は、中空状を呈すると共に、内部に電池（２４４）が設けられるケース（２４０）を有し、該ケース（２４０）に接続回線（２１）と接続するためのコネクタ（２４１）が設けられ、又、該ケース（２４０）の外側にコネクタ（２４１）の対向端へ向かって傾斜する複数の係合部（２４２）が設けられることにより、該電池組（２４）を電池収容部（１２）に位置決めすることができる。
【産業上の利用可能性】
【００１８】
本考案は上記の構成を有するので、以下に示すような効果を有する。  
本考案に係るヘルメットの発光素子は、軟性の接続回線を用いることから、ライナーの湾曲形状に沿って接続回線を湾曲させることができるので、該接続回線をライナーの表面と確実に貼り合わせることができると共に、それにより接続回線の断裂問題も防止することができる。
【図面の簡単な説明】
【００１９】
【図１】本考案に係るヘルメットの斜視図である。
【図２】本考案に係るヘルメットの分解斜視図である。
【図３】本考案に係るヘルメットの分解平面図である。
【図４】本考案に係るヘルメットの部分断面図である。
【符号の説明】
【００２０】
１０        ライナー
１１        通気孔
１２        電池収容部
１３        スイッチ収容部
２０        発光素子
２１        接続回線
２２        制御スイッチ
２３        ＬＥＤ部材
２４        電池組
２４０      ケース
２４１      コネクタ
２４２      係合部
２４４      電池
３０        帽体
３１        光通過部
３２        制御ボタン
４０        下カバー
４１        取付溝
４２        貫通孔
【図１】
0003130495.tif 000003
【図２】
0003130495.tif 000004
【図３】
0003130495.tif 000005
【図４】
0003130495.tif 000006